(57)【要約】  【課題】  圧縮機の指示される運転周波数が禁止周波数に該当した場合、禁止周波数よりやや高い運転周波数と禁止周波数よりやや低い運転周波数とを所定時間づつ交互に運転すると、運転周波数が交互に変更する際に必ず禁止周波数を通過するため、種々の不安定状態を生ずるという課題を有していた。  【解決手段】  室外ユニットは圧縮機１と室外ファン６を具備している。制御手段２０から圧縮機１に対して指示される運転周波数が、あらかじめ定められた禁止周波数に該当する時、制御手段２０は室外ファン６の回転数を現状の回転数から所定回転数変化させる。【選択図】  図１
2005061766.tif 000002
【特許請求の範囲】
【請求項１】
運転周波数可変の圧縮機と、前記圧縮機の運転周波数を制御する周波数制御手段とを有する空気調和機であって、前記周波数制御手段は前記圧縮機の指示される運転周波数が、あらかじめ定められた禁止周波数に該当する時、前記室外ファンの回転数を変化させるようにしたことを特徴とする空気調和機。
【請求項２】
運転周波数可変の圧縮機と、前記圧縮機の運転周波数を制御する周波数制御手段と、一次側電源周波数を変更してインバータ装置へ電源を供給する周波数変換手段とを有する空気調和機であって、前記運転周波数が、あらかじめ定められた禁止周波数に該当する時、前記周波数変換手段から送出する周波数を変化させるようにしたことを特徴とする空気調和機。
【発明の詳細な説明】
【技術分野】
【０００１】
本発明は、圧縮機運転周波数を可変とする空気調和機に関するものであり、より詳しくは、あらかじめ定められた圧縮機の禁止周波数を変化させる空気調和機に関するものである。
【背景技術】
【０００２】
従来の空気調和機では、圧縮機の運転周波数が交流電源の周波数（５０Ｈｚまたは６０Ｈｚ）またはその整数倍、または冷凍サイクルの共振周波数に一致した場合、圧縮機の運転が不安定になったり、異常音が発生したり、異常振動が発生したりして、種々の不安定状態を生ずるので、それらの周波数を禁止周波数としてあらかじめ設定し、圧縮機の運転周波数が禁止周波数に該当した場合、禁止周波数よりやや高い運転周波数と禁止周波数よりやや低い運転周波数とを所定時間づつ交互に運転するように制御するものがあった。（例えば特許文献１参照）。
【特許文献１】特開平７−３１１９３号公報
【発明の開示】
【発明が解決しようとする課題】
【０００３】
しかしながら、上記従来の構成では次のような課題があった。すなわち、圧縮機の運転周波数が禁止周波数に該当した場合、禁止周波数よりやや高い運転周波数と禁止周波数よりやや低い運転周波数とを所定時間づつ交互に運転するように制御すれば、冷凍能力としては禁止周波数で運転したものと同等の冷凍能力が得られる。しかしながら、運転周波数が交互に変更する際に必ず禁止周波数を通過するため、わずかではあるが上記のような共振現象が発生するという課題を有していた。
【０００４】
これは、空気調和機の構成部品が決まっているため、残りの可変である圧縮機の運転周波数や室内ファンや室外ファンの回転数などの組み合わせにより、冷凍サイクルの共振周波数が幾つかに定まってしまうことに原因があり、この共振周波数を避けるために従来は、この共振周波数を禁止周波数として圧縮機の運転周波数から除外することが行われていたものである。
【０００５】
次表は、従来の圧縮機の運転周波数と室外ファンの回転数との対応表である。
2005061766.tif 000003
【０００６】
残りの可変要素が変化しない場合、この表のように圧縮機の運転周波数と室外ファンの回転数の関係は１対１であることから、圧縮機の運転周波数が決まれば室外ファンの回転数も決まり、その結果冷凍サイクルの共振周波数はある決まった周波数に一義的に定まって
しまっていた。
【０００７】
本発明は、このような従来の課題を解決するものであり、禁止周波数そのものを変化させることにより、共振のない安定な空気調和機の運転を可能とすることを目的とする。
【課題を解決するための手段】
【０００８】
上記課題を解決するために、本発明の空気調和機は、圧縮機の指示される運転周波数が、あらかじめ定められた禁止周波数に該当する時、室外ファンの回転数を変化させるようにしたものである。
【０００９】
本構成により、冷凍サイクルの共振周波数をずらすことが可能となり、あらかじめ定められた禁止周波数において、安定した圧縮機周波数制御を実現することができる。
【００１０】
また、別の発明の空気調和機は、圧縮機の指示される運転周波数があらかじめ定められた禁止周波数に該当する時、周波数変換装置から送出する電源周波数を変化させるようにしたものである。
【００１１】
本構成により、インバータ入力電源周波数を変えて冷凍サイクルの共振周波数をずらすことが可能となり、あらかじめ定められた禁止周波数において、安定した圧縮機周波数制御を実現することができる。
【発明の効果】
【００１２】
以上のように、本願発明の空気調和機によれば、圧縮機の指示される運転周波数があらかじめ定められた禁止周波数に該当するとき、室外ファンの回転数を変化させるようにして、共振周波数をずらすことによって、安定した圧縮機周波数制御を実現することができる。
【発明を実施するための最良の形態】
【００１３】
以下本発明の実施の形態について、図面を参照して説明する。
（実施の形態１）
図１は、本発明の実施の形態１における空気調和機の冷凍サイクル図である。図１において、冷房運転時、冷媒は、圧縮機１を吐出された後、四方弁２を通過した後、室外側熱交換器３で凝縮し、キャピラリーチューブ４で減圧され、室内側熱交換器５で蒸発し、再び四方弁２を通過して圧縮機１に戻る構成となっている。一方、暖房運転時、冷媒は、圧縮機１を吐出された後、四方弁２を通過した後、室内側熱交換器５で凝縮し、キャピラリーチューブ４で減圧され、室外側熱交換器３で蒸発し、再び四方弁２を通過して圧縮機１に戻る。
【００１４】
図示の冷凍サイクルは、圧縮機１の速度調整を介して能力を変化させることが可能である。また、圧縮機１はインバータ１２により可変速制御される交流電動機１３により可変速駆動される。インバータ１２には交流電源１０から整流器１１を介して直流が供給される。一方、制御装置２０からインバータ１２へは、圧縮機の運転周波数指示が与えられる。
【００１５】
室外側熱交換器の内側には、冷媒と空気との熱交換を促進させる室外ファン６が取り付けてあって、この室外ファンを回転させることにより効率良く冷媒から空気へ熱交換が行われる。また、室外ファンは制御装置２０より回転数指示を行い、任意の回転数に変更が可能となっている。
【００１６】
次表は、本発明の実施の形態１における圧縮機の運転周波数と室外ファンの回転数との対応表である。
2005061766.tif 000004
【００１７】
この表のように、圧縮機の運転周波数があらかじめ定められた禁止周波数に該当するとき、室外ファンの回転数を変更することにより、冷凍サイクルの共振周波数が変更でき、圧縮機の運転周波数があらかじめ定められた禁止周波数でも共振することがない。従って、振動、騒音の少ない安定した運転を行うことができるとともに、圧縮機が能力を調整するために本体から指示された要求周波数を回避することなく運転することができる。
【００１８】
（実施の形態２）
図２は、本発明の実施の形態２における空気調和機の冷凍サイクル図である。同図において図１と同じ番号のものについては、同じ機能であるので説明を省略する。また、冷凍サイクルの流れについても同様であるので説明を省略する。
【００１９】
同図において、整流器１１とインバータ１２の間に周波数変換装置１４が挿入されている。
【００２０】
次表は、本発明の実施の形態２における圧縮機の運転周波数とインバータの電源入力周波数との対応表である。
2005061766.tif 000005
【００２１】
上表のように、圧縮機の運転周波数があらかじめ定められた禁止周波数に該当するとき、インバータの電源入力周波数を変更することにより、冷凍サイクルの共振周波数が変更でき、運転周波数があらかじめ定められた禁止周波数でも共振することなく、安定した運転が可能となる。
【図面の簡単な説明】
【００２２】
【図１】本発明の第一の実施形態を示す空気調和機の冷凍サイクル図
【図２】本発明の第二の実施形態を示す空気調和機の冷凍サイクル図
【符号の説明】
【００２３】
１  圧縮機
６  室外ファン
１４  周波数変換装置
２０  制御装置
【図１】
2005061766.tif 000006
【図２】
2005061766.tif 000007